(57)【要約】      （修正有）【課題】刃が摩耗したときに刃の交換を促すことのできる被覆除去装置を提供する。【解決手段】被覆除去装置１０は、光ファイバの被覆を加熱するためのヒータ部２１１と光ファイバの被覆に切り込みを入れる刃２１Ａ、２３Ａとを有する加熱部２０と、光ファイバを把持して加熱部に対して移動可能な把持部３０と、加熱部と把持部との離間を検知することにより、被覆除去回数をカウントするカウント部とを備える。【選択図】図１
2018138970.tif 000002
【特許請求の範囲】
【請求項１】
光ファイバの被覆を加熱するためのヒータ部と、前記光ファイバの前記被覆に切り込みを入れる刃とを有する加熱部と、
前記光ファイバを把持して前記加熱部に対して移動可能な把持部と、
前記加熱部と前記把持部との離間を検知することにより、被覆除去回数をカウントするカウント部と
を備えた被覆除去装置。
【請求項２】
請求項１に記載の被覆除去装置であって、
前記カウント部は、前記加熱部の蓋部の閉状態を検知し、且つ、前記加熱部と前記把持部との離間を検知したときに、被覆除去回数をカウントすることを特徴とする被覆除去装置。
【請求項３】
請求項２に記載の被覆除去装置であって、
前記カウント部は、前記被覆除去回数をカウントした後、前記加熱部の蓋部の開状態を検知した場合に、次の前記被覆除去回数のカウントを許可することを特徴とする被覆除去装置。
【請求項４】
請求項１〜３のいずれかに記載の被覆除去装置であって、
前記カウント部は、前記加熱部の前記ヒータ部の加熱を検知し、且つ、前記加熱部と前記把持部との離間を検知したときに、被覆除去回数をカウントすることを特徴とする被覆除去装置。
【請求項５】
請求項１〜４のいずれかに記載の被覆除去装置であって、
前記把持部は、前記光ファイバを保持したホルダを収容するホルダ収容部を有し、
前記カウント部は、前記ホルダが前記ホルダ収容部に収容されたことを検知し、且つ、前記加熱部と前記把持部との離間を検知したときに、被覆除去回数をカウントすることを特徴とする被覆除去装置。
【請求項６】
請求項１〜５のいずれかに記載の被覆除去装置であって、
前記加熱部と前記把持部とを連結するとともに、前記加熱部と前記把持部との離間をガイドするシャフトを備え、
前記加熱部と前記把持部とを離間させたときの前記シャフトの移動量が所定量に達したことを検知することによって、前記加熱部と前記把持部との離間を検知することを特徴とする被覆除去装置。
【請求項７】
請求項１〜６のいずれかに記載の被覆除去装置であって、
前記加熱部と前記把持部とを近接させた状態を維持する近接保持部を備えることを特徴とする被覆除去装置。
【請求項８】
請求項７に記載の被覆除去装置であって、
前記近接保持部は、磁力を利用して前記加熱部と前記把持部とを近接させた状態を維持し、
前記近接保持部の前記磁力を利用して、前記加熱部と前記把持部との離間を検知することを特徴とする被覆除去装置。
【請求項９】
請求項１〜８のいずれかに記載の被覆除去装置であって、
前記被覆除去回数が所定値に達したことを報知するための報知部を備えることを特徴とする被覆除去装置。
【請求項１０】
請求項１〜９のいずれかに記載の被覆除去装置であって、
前記被覆除去回数を表示するための表示部を備えることを特徴とする被覆除去装置。
【発明の詳細な説明】
【技術分野】
【０００１】
本発明は、光ファイバの被覆除去装置に関する。
【背景技術】
【０００２】
光ファイバの被覆を除去する被覆除去装置として、例えば特許文献１、２に記載の装置が知られている。特許文献１、２に記載の被覆除去装置では、光ファイバの除去すべき被覆を加熱して軟化させ、裸光ファイバと被覆との密着力を小さくして、被覆を除去することが行われている。
【先行技術文献】
【特許文献】
【０００３】
【特許文献１】実開平１−９０００３号公報
【特許文献２】特開２００２−３２８２４１号公報
【発明の概要】
【発明が解決しようとする課題】
【０００４】
図１６Ａは、被覆除去の様子の説明図である。一対の刃２１Ａ，２３Ａが被覆除去開始位置で被覆５に切り込みを入れた後、図中左側の光ファイバ３を把持する把持部（不図示：後述）を移動させて、刃２１Ａ，２３Ａで被覆５を引き抜くことによって、光ファイバ３の被覆５が除去される。被覆５の除去時に刃２１Ａ，２３Ａで被覆５を引っ掛ける必要があるため、一対の刃２１Ａ，２３Ａの間隔は、被覆５の厚み（光ファイバ３の径）よりは狭くなっており、裸光ファイバ４の径よりも若干広く設定されている。
【０００５】
一対の刃２１Ａ，２３Ａの間隔が裸光ファイバ４の径よりも広いことに起因して、被覆５の引き抜き時に裸光ファイバ４が上下に動き、刃２１Ａ，２３Ａが裸光ファイバ４に接触することがある。このため、裸光ファイバ４の損傷を抑制するために、刃２１Ａ，２３Ａの硬度は裸光ファイバ４の硬度よりも低く設定されている。この結果、被覆５の除去が繰り返されると、刃先が徐々に摩耗する。
【０００６】
摩耗した刃２１Ａ，２３Ａで被覆５の除去が行われると、被覆５を完全に除去できずに、被覆５の一部が裸光ファイバ４に残存するという問題が発生する。被覆５の一部が裸光ファイバ４に残存し、その後の清掃工程においても被覆５を除去しきれなかった場合には、融着接続工程で裸光ファイバ４の表面に残存した被覆５が燃焼してしまい、光ファイバ３の長期信頼性を低下させるおそれがある。
【０００７】
また、図１６Ｂに示すように、一方の刃（図中の下側の刃２１Ａ）が摩耗した状態で被覆５の除去が行われると、摩耗した刃２１Ａが被覆５を切り裂くタイミングが遅れてしまうとともに、摩耗した刃２１Ａと被覆５との間で滑りが生じてしまい、この結果、裸光ファイバ４にかかる力のバランスが崩れるという問題が生じる。裸光ファイバ４にかかる力のバランスが崩れた場合には、裸光ファイバ４に曲がりが発生したり、裸光ファイバ４が上側の刃２３Ａに過度に押圧されたりして、光ファイバ３の長期信頼性を低下させるおそれがある。
【０００８】
上記のような問題を防ぐためには、刃が摩耗したときに刃を交換することが望ましい。但し、刃の摩耗状況は視認し難いため、刃の交換時期に気付かないまま、被覆除去が行われてしまいやすい。
【０００９】
本発明の幾つかの実施形態は、刃が摩耗したときに刃の交換を促すことを目的とする。
【課題を解決するための手段】
【００１０】
本発明の幾つかの実施形態は、
光ファイバの被覆を加熱するためのヒータ部と、前記光ファイバの前記被覆に切り込みを入れる刃とを有する加熱部と、
前記光ファイバを把持して前記加熱部に対して移動可能な把持部と、
前記加熱部と前記把持部との離間を検知することにより、被覆除去回数をカウントするカウント部と
を備えた被覆除去装置である。
【００１１】
本発明の他の特徴については、後述する明細書及び図面の記載により明らかにする。
【発明の効果】
【００１２】
本発明の幾つかの実施形態によれば、刃が摩耗したときに刃の交換を促すことができる。
【図面の簡単な説明】
【００１３】
【図１】図１は、本実施形態の被覆除去装置１０の全体斜視図である。
【図２】図２Ａ〜図２Ｃは、被覆除去時の様子の説明図である。
【図３】図３は、被覆除去装置１０の構成を示すブロック図である。
【図４】図４Ａ〜図４Ｃは、蓋検知部５１の構成例の説明図である。
【図５】図５Ａ〜図５Ｃは、離間検知部５２の構成例の説明図である。
【図６】図６は、第１実施形態の被覆除去回数のカウント処理の説明図である。
【図７】図７は、ヒータ部２１１の加熱プロファイルの説明図である。
【図８】図８は、第２実施形態の被覆除去装置１０の構成を示すブロック図である。
【図９】図９は、第２実施形態の被覆除去回数のカウント処理の説明図である。
【図１０】図１０は、第３実施形態の被覆除去装置１０の構成を示すブロック図である。
【図１１】図１１Ａ及び図１１Ｂは、ホルダ検知部５４の説明図である。
【図１２】図１２は、第３実施形態の被覆除去回数のカウント処理の説明図である。
【図１３】図１３Ａは、第４実施形態の離間検知部５２の説明図である。図１３Ｂは、第４実施形態の変形例の離間検知部５２の説明図である。
【図１４】図１４は、第５実施形態の被覆除去回数のカウント処理の説明図である。
【図１５】図１５Ａ及び図１５Ｂは、近接保持部の構成例の説明図である。
【図１６】図１６Ａは、被覆除去の様子の説明図である。図１６Ｂは、刃が摩耗したときの被覆除去の様子の説明図である。
【発明を実施するための形態】
【００１４】
後述する明細書及び図面の記載から、少なくとも以下の事項が明らかとなる。
【００１５】
光ファイバの被覆を加熱するためのヒータ部と前記光ファイバの前記被覆に切り込みを入れる刃とを有する加熱部と、前記光ファイバを把持して前記加熱部に対して移動可能な把持部と、前記加熱部と前記把持部との離間を検知することにより、被覆除去回数をカウントするカウント部とを備えた被覆除去装置が明らかとなる。このような被覆除去装置によれば、被覆除去回数をカウントすることができ、刃が摩耗したときに刃の交換を促すことができる。
【００１６】
前記カウント部は、前記加熱部の蓋部の閉状態を検知し、且つ、前記加熱部と前記把持部との離間を検知したときに、被覆除去回数をカウントすることが望ましい。これにより、蓋部が開状態のときに前記加熱部と前記把持部との離間を検知しても、被覆除去回数がカウントされないため、被覆除去回数のカウント精度を高めることができる。
【００１７】
前記カウント部は、前記被覆除去回数をカウントした後、前記加熱部の蓋部の開状態を検知した場合に、次の前記被覆除去回数のカウントを許可することが望ましい。これにより、被覆除去回数のカウント精度を高めることができる。
【００１８】
前記カウント部は、前記加熱部の前記ヒータ部の加熱を検知し、且つ、前記加熱部と前記把持部との離間を検知したときに、被覆除去回数をカウントすることが望ましい。これにより、ヒータ部が加熱されていないときに前記加熱部と前記把持部との離間を検知しても、被覆除去回数がカウントされないため、被覆除去回数のカウント精度を高めることができる。
【００１９】
前記把持部は、前記光ファイバを保持したホルダを収容するホルダ収容部を有し、前記カウント部は、前記ホルダが前記ホルダ収容部に収容されたことを検知し、且つ、前記加熱部と前記把持部との離間を検知したときに、被覆除去回数をカウントすることが望ましい。これにより、ホルダがホルダ収容部に収容されていないときに前記加熱部と前記把持部との離間を検知しても、被覆除去回数がカウントされないため、被覆除去回数のカウント精度を高めることができる。
【００２０】
前記加熱部と前記把持部とを連結するとともに、前記加熱部と前記把持部との離間をガイドするシャフトを備え、前記加熱部と前記把持部とを離間させたときの前記シャフトの移動量が所定量に達したことを検知することによって、前記加熱部と前記把持部との離間を検知することが望ましい。これにより、加熱部と把持部とが所定量以上で離間しなければ、被覆除去回数がカウントされないため、被覆除去回数のカウント精度を高めることができる。
【００２１】
前記加熱部と前記把持部とを近接させた状態を維持する近接保持部を備えることが望ましい。これにより、被覆を除去していないときに加熱部と把持部とが離間することを抑制できるため、被覆除去回数のカウント精度を高めることができる。
【００２２】
前記近接保持部は、磁力を利用して前記加熱部と前記把持部とを近接させた状態を維持し、前記近接保持部の前記磁力を利用して、前記加熱部と前記把持部との離間を検知することが望ましい。これにより、部品点数を削減できる。
【００２３】
前記被覆除去回数が所定値に達したことを報知するための報知部を備えることが望ましい。これにより、作業者に刃の交換を促すことができる。
【００２４】
前記被覆除去回数を表示するための表示部を備えることが望ましい。これにより、作業者に刃の交換を促すことができる。
【００２５】
＝＝＝第１実施形態＝＝＝
＜被覆除去装置１０の基本構成＞
図１は、本実施形態の被覆除去装置１０の全体斜視図である。図２Ａ〜図２Ｃは、被覆除去時の様子の説明図である。
【００２６】
被覆除去装置１０は、光ファイバの被覆を除去する装置である。被覆除去の対象は、ここでは複数の光ファイバ３を有する光ファイバテープ１であるが、単心光ファイバであっても良い。本実施形態の被覆除去装置１０は、裸光ファイバ４（図１６Ａ参照）の外周を被覆する被覆材５（以下、単に被覆という）を加熱して軟化させ、裸光ファイバ４と被覆との密着力を小さくして、被覆を除去する装置である。本実施形態の被覆除去装置１０は、ホットジャケットストリッパと呼ばれることもある。
【００２７】
以下では、図１に示す方向に従って説明を行うことがある。すなわち、本体部と把持部３０との移動方向のことを前後方向とし、本体部の側を「前」とし、把持部３０の側を「後」とする。なお、前後方向のことを「離間方向」、「近接方向」、若しくは「スライド方向」と呼ぶこともある。また、把持部３０のホルダ収容部３１１の底面に垂直な方向を「上下方向」とし、ホルダ収容部３１１の底面から見て、ホルダ７の収容される側を「上」とし、逆側（把持側本体３１の側）を「下」とする。また、前後方向及び上下方向に垂直な方向を「左右方向」とし、後側から前側を見たときの右側を「右」とし、左側を「左」とする（ここでは、蓋部（加熱側蓋部２３及び把持側蓋部３３）のヒンジ側が「左」であり、開閉側が「右」である）。
【００２８】
被覆除去装置１０は、加熱部２０と、把持部３０とを備えている。
【００２９】
加熱部２０は、光ファイバの被覆を加熱する部材である。また、加熱部２０は、被覆除去のための一対の刃２１Ａ，２３Ａを有する。加熱部２０は、加熱側本体２１と、加熱側蓋部２３とを有しており、加熱側本体２１と加熱側蓋部２３のそれぞれに刃が設けられている。
【００３０】
加熱側本体２１は、加熱部２０の本体を構成する部材である。加熱側本体２１は、刃２１Ａと、ヒータ部２１１とを有する。刃２１Ａは、被覆に切り込みを入れるとともに、被覆を引っ掛けて除去する部材である。ヒータ部２１１は、光ファイバの被覆を加熱する熱源である。ヒータ部２１１は、光ファイバの端部を載置する載置部としての機能も備えている。具体的には、ヒータ部２１１は、前後方向に沿って溝状に形成されており、光ファイバの端部を前後方向にガイドした状態で光ファイバの端部を載置できる。加熱側本体２１には、電源スイッチ２１Ｂや、ＬＥＤランプ７１Ａ（出力部７１）等が設けられている。
【００３１】
加熱側蓋部２３は、加熱側本体２１に対して開閉可能な蓋部材である。加熱側蓋部２３は、刃２３Ａと、保持部２３１とを有する。保持部２３１は、光ファイバの端部を加熱側本体２１のヒータ部２１１との間に挟み込み、光ファイバの端部を保持するための部位である。加熱側蓋部２３が閉じられると、光ファイバの端部がヒータ部２１１に押し付けられて、ヒータ部２１１によって加熱されることになる。なお、加熱側蓋部２３にも、光ファイバの被覆を加熱する熱源（ヒータ部２１１）が設けられても良い。
【００３２】
把持部３０は、光ファイバを把持する部材である。本実施形態では、把持部３０は、光ファイバを保持するホルダ７を把持することによって、光ファイバを把持する。但し、把持部３０は、ホルダ７以外の部材を介して光ファイバを間接的に把持しても良いし、光ファイバを直接的に把持しても良い。把持部３０は、加熱部２０に対して前後方向に移動可能に構成されている（図２Ｃ参照）。把持部３０は、把持側本体３１と、把持側蓋部３３とを有している。
【００３３】
把持側本体３１は、把持部３０の本体を構成する部材である。把持側本体３１は、ホルダ収容部３１１を有する。ホルダ収容部３１１は、光ファイバを保持したホルダ７を収容する部位である。
【００３４】
把持側蓋部３３は、把持側本体３１に対して開閉可能な蓋部材である。把持側蓋部３３は、ホルダ保持部３３１を有する。ホルダ保持部３３１は、光ファイバを保持したホルダ７を把持側本体３１との間に挟み込み、ホルダ７を把持するための部位である。把持側蓋部３３が閉じられると、ホルダ７がホルダ収容部３１１に押し付けられて、把持側本体３１と把持側蓋部３３との間にホルダ７が把持されることになる。
【００３５】
加熱部２０と把持部３０は、シャフト４１を介して連結されている（図２Ｃ参照）。シャフト４１は、加熱部２０と把持部３０とを連結するとともに、加熱部２０と把持部３０との相対移動をガイドする部材である。本実施形態では、シャフト４１の一端が把持部３０に固定されており、加熱部２０に対して把持部３０が移動するときに、シャフト４１も加熱部２０に対して移動することになる。但し、シャフト４１を加熱部２０の側に固定しても良い。
【００３６】
光ファイバの被覆を除去する際には、まず、作業者は、被覆除去装置１０の電源スイッチ２１Ｂを入れた後、図２Ａに示すように、加熱側蓋部２３及び把持側蓋部３３を開けて、光ファイバ３（ここでは光ファイバテープ１）を保持したホルダ７を把持部３０のホルダ収容部３１１に収容し、光ファイバ３の端部を加熱側本体２１のヒータ部２１１に載置させる。これにより、光ファイバ３が被覆除去装置１０にセットされる。
【００３７】
次に、作業者は、図２Ｂに示すように、加熱側蓋部２３及び把持側蓋部３３を閉じる。加熱側蓋部２３が閉じられたとき、一対の刃２１Ａ，２３Ａによって光ファイバ３の被覆に切り込みが入ることになる。また、加熱側蓋部２３が閉じられると、光ファイバ３の端部が加熱側本体２１のヒータ部２１１と加熱側蓋部２３の保持部２３１との間に挟み込まれ、光ファイバ３の端部の被覆がヒータ部２１１によって加熱される。なお、後述するように、蓋検知部５１が加熱側蓋部２３の閉状態を検知すると、ヒータ部２１１の加熱が開始する。光ファイバの端部の被覆が加熱されると、被覆が軟化し、裸光ファイバ４と被覆との密着力が低下して、被覆を除去しやすい状態になる。
【００３８】
次に、作業者は、図２Ｃに示すように、加熱側蓋部２３及び把持側蓋部３３を閉じた状態で、加熱部２０に対して把持部３０を後側に移動させ、加熱部２０と把持部３０とを離間させる。これにより、光ファイバの端部の被覆が一対の刃２１Ａ，２３Ａによって引き抜かれて（図１６Ａ参照）、光ファイバの被覆が除去されることになる。
【００３９】
図３は、被覆除去装置１０の構成を示すブロック図である。被覆除去装置１０は、制御部６１と、各種検知部（蓋検知部５１など）と、出力部７１（ＬＥＤランプ７１Ａなど）とを有する。
【００４０】
制御部６１は、被覆除去装置１０の制御を司る機能を有する。制御部６１は、例えば演算処理装置や記憶装置から構成されており、記憶装置に記憶されたプログラムを演算処理装置が実行することにより、各種処理が実現されることになる。制御部６１には、各種検知部の検知結果が入力される。制御部６１は、各種検知部の検知結果に基づいて、ヒータ部２１１や出力部７１の制御を行うことになる。
【００４１】
蓋検知部５１は、加熱側蓋部２３の開閉を検知する部材である。蓋検知部５１は、加熱側蓋部２３に設けられた突出片２３Ｂ（図１参照）を有しており、加熱側蓋部２３が閉じられたときに加熱側本体２１のスイッチやセンサ等の検知部（図１では不図示：図４Ａ〜図４Ｃ参照）が突出片２３Ｂを検知することによって、加熱側蓋部２３が閉じられたこと（閉状態）を検知する。
【００４２】
図４Ａ〜図４Ｃは、蓋検知部５１（５１Ａ〜５１Ｃ）の構成例の説明図である。図４Ａに示す蓋検知部５１Ａは、加熱側蓋部２３の開閉に応じて加熱側蓋部２３の突出片２３Ｂ（図１参照）が加熱側本体２１のスイッチ（検知部）をオン・オフさせることによって、加熱側蓋部２３の閉状態（及び開状態）を検知する。また、図４Ｂに示す蓋検知部５１Ｂは、加熱側本体２１にマグネットセンサ（検知部）が設けられており、加熱側蓋部２３の突出片２３Ｂにマグネットが設けられており、加熱側蓋部２３の開閉に応じてマグネットセンサ（検知部）の検知する磁気の変化によって、加熱側蓋部２３の閉状態（及び開状態）を検知する。図４Ｃに示す蓋検知部５１Ｃは、加熱側蓋部２３の開閉に応じて加熱側蓋部２３の突出片２３Ｂ（図１参照）が加熱側本体２１のフォトセンサ（検知部）の検出光を遮断することによって、加熱側蓋部２３の閉状態（及び開状態）を検知する。但し、蓋検知部５１は、加熱側蓋部２３の閉状態（若しくは開状態）を検知できれば、上記の構成に限られるものではない。
【００４３】
蓋検知部５１の検知結果は、制御部６１に出力される。制御部６１は、蓋検知部５１の検知結果に基づいて、加熱側蓋部２３の閉状態を検知したとき、ヒータ部２１１に加熱を開始させる。これにより、図２Ｂに示すように作業者が加熱側蓋部２３を閉じたときに、ヒータ部２１１の加熱が自動的に開始される。また、制御部６１は、蓋検知部５１の検知結果に基づいて、加熱側蓋部２３の開状態を検知したとき、ヒータ部２１１の加熱を停止させる。これにより、被覆除去後に光ファイバを取り出すために作業者が加熱側蓋部２３及び把持側蓋部３３を開けたときに、ヒータ部２１１の加熱が自動的に停止される。このように、制御部６１は、ヒータ部２１１を制御する加熱制御部となる。
【００４４】
また、制御部６１は、蓋検知部５１の検知結果に基づいて、加熱側蓋部２３の閉状態を検知したとき、所定時間経過後にＬＥＤランプ７１Ａ（出力部７１）を点灯させる。これにより、光ファイバの端部の被覆が加熱されたことを作業者に知らせたり、図２Ｃに示す把持部３０の移動作業を作業者に促したりすることができる。このように、制御部６１は、出力部７１を制御する出力制御部となる。
【００４５】
被覆除去装置１０は、出力部７１として、ＬＥＤランプ７１Ａのような表示部や、音を出力するスピーカ（不図示）などを有する。ＬＥＤランプ７１Ａやスピーカ（不図示）は、後述するように、被覆除去回数が所定値に達したことを報知する報知部となる。
【００４６】
被覆除去装置１０は、出力部７１として、数値（例えば、後述のカウント値）を表示可能な表示部を備えていても良い。なお、カウント値を表示可能な表示部（出力部７１）としては、数値以外の情報も表示可能な小型液晶モニタや、数値の表示を行うことを主目的としたセグメント表示装置などがある。また、被覆除去装置１０は、出力部７１として、外部装置にデータ（後述のカウント値を含むデータ）を送受信する通信部を備えていても良い。
【００４７】
＜被覆除去回数のカウント＞
本実施形態では、刃２１Ａ，２３Ａが摩耗したときに刃２１Ａ，２３Ａの交換を促すため、被覆除去回数をカウントする。次に説明するように、被覆除去回数のカウントは、加熱部２０と把持部３０との離間を検知することにより行われている。
【００４８】
・離間検知部５２
被覆除去装置１０は、加熱部２０と把持部３０との離間を検知するための離間検知部５２を有する（図３参照）。図５Ａ〜図５Ｃは、離間検知部５２（５２Ａ〜５２Ｃ）の構成例の説明図である。
【００４９】
図５Ａに示す離間検知部５２Ａは、メカニカルスイッチによって構成されている。図５Ａの上図は、離間検知部５２Ａが加熱部２０と把持部３０との離間を検知する前の状態（近接状態）の説明図である。図５Ａの下図は、離間検知部５２Ａが加熱部２０と把持部３０との離間を検知した状態（離間状態）の説明図である。図５Ａに示す離間検知部５２Ａは、加熱部２０と把持部３０との近接・離間に応じて加熱側本体２１のスイッチ（検知部）をオン・オフさせることによって、加熱部２０と把持部３０との離間状態（又は近接状態）を検知する。離間検知部５２Ａは、加熱部２０と把持部３０との対向面に配置されている。ここでは、離間検知部５２Ａを構成するスイッチは加熱部２０に配置されており、把持部３０の対向面（被検知部）がスイッチに接触・離間することによって、スイッチがオン・オフする。但し、離間検知部５２Ａを構成するスイッチを把持部３０の側に配置しても良い。
【００５０】
図５Ｂに示す離間検知部５２Ｂは、マグネットセンサによって構成されている。加熱側本体２１にはマグネットセンサ（検知部）が設けられており、把持部３０にはマグネット（被検知部）が設けられている。図５Ｂに示す離間検知部５２Ａは、加熱部２０と把持部３０との近接・離間に応じてマグネットセンサ（検知部）の検知する磁気の変化によって、加熱部２０と把持部３０との離間状態（又は近接状態）を検知する。
【００５１】
図５Ｃに示す離間検知部５２Ｃは、フォトセンサによって構成されている。加熱側本体２１にフォトセンサ（検知部）が設けられており、把持部３０には遮光片（被検知部）が設けられている。加熱部２０と把持部３０との近接・離間に応じて遮光片がフォトセンサ（検知部）の検出光を遮断・投光することによって、加熱部２０と把持部３０との離間状態（又は近接状態）を検知する。
【００５２】
なお、離間検知部５２は、加熱部２０と把持部３０との離間状態（若しくは近接状態）を検知できれば良い。このため、離間検知部５２は、図５Ａ〜図５Ｃに示す構成に限られるものではない。
【００５３】
・カウント部６１Ａ
被覆除去装置１０は、被覆除去回数のカウントを行うカウント部６１Ａを有する（図３参照）。本実施形態では、カウント部６１Ａは、制御部６１によって構成されているが、機械式カウンタで構成しても良い。
【００５４】
図６は、第１実施形態の被覆除去回数のカウント処理の説明図である。
【００５５】
第１実施形態では、カウント部６１Ａは、蓋検知部５１の検知結果に基づいて加熱側蓋部２３の閉状態を検知しているか否かを判定する（Ｓ１０１）。カウント部６１Ａは、加熱側蓋部２３の閉状態を検知していなければ（Ｓ１０１でＮＯ）、加熱側蓋部２３の閉状態を検知するまでＳ１０１の判定処理を繰り返す。カウント部６１Ａは、加熱側蓋部２３の閉状態を検知したとき（Ｓ１０１でＹＥＳ）、次に、離間検知部５２の検知結果に基づいて加熱部２０と把持部３０との離間状態を検知しているか否かを判定する（Ｓ１０２）。カウント部６１Ａは、離間検知部５２の検知結果に基づいて加熱部２０と把持部３０との離間状態を検知していなければ（Ｓ１０２でＮＯ）、Ｓ１０１の判定処理に戻る。カウント部６１Ａは、離間検知部５２の検知結果に基づいて加熱部２０と把持部３０との離間状態を検知したとき（Ｓ１０２でＹＥＳ）、被覆除去回数のカウント値を１つ加算する（Ｓ１０３）。
【００５６】
すなわち、第１実施形態では、カウント部６１Ａは、蓋検知部５１の検知結果に基づいて加熱側蓋部２３の閉状態を検知し（Ｓ１０１でＹＥＳ）、且つ、離間検知部５２の検知結果に基づいて加熱部２０と把持部３０との離間状態を検知したときに（Ｓ１０２でＹＥＳ）、被覆除去回数のカウント値を１つ加算する（Ｓ１０３）。これにより、図２Ｃに示すように、作業者が加熱側蓋部２３及び把持側蓋部３３を閉じた状態で、加熱部２０に対して把持部３０を後側に移動させ、加熱部２０と把持部３０とを離間させたとき（光ファイバの端部の被覆が除去されたとき）、被覆除去回数を示すカウント値を１つ増加させることができる。なお、本実施形態では、カウント部６１Ａは、カウント値を記憶装置に記憶させることになる。
【００５７】
カウント値の加算条件として、加熱部２０と把持部３０との離間状態を検知することだけでなく（Ｓ１０２）、加熱側蓋部２３の閉状態を検知していること（Ｓ１０１）が条件になっている。このため、加熱側蓋部２３の「開状態」のときには、加熱部２０と把持部３０との離間状態を検知しても、カウント値は加算されない。これは、図２Ｃに示すように、被覆除去のために加熱部２０と把持部３０とを離間させるときには、作業者が加熱側蓋部２３及び把持側蓋部３３を閉じた状態にするためである。本実施形態のように、加熱側蓋部２３の閉状態を検知していること（Ｓ１０１）がカウント値の加算条件になることによって、被覆を除去していないときにカウント値が増加することを抑制できるため、被覆除去回数のカウント精度（被覆除去回数とカウント値との一致精度）を高めることができる。
【００５８】
本実施形態では、カウント部６１Ａは、カウント値を１つ加算した後（Ｓ１０３）、加熱側蓋部２３の開状態を検知した場合に（Ｓ１０５でＹＥＳ）、次の被覆除去回数のカウント（Ｓ１０１〜Ｓ１０３）を許可する。つまり、本実施形態では、カウント値を１つ加算した後（Ｓ１０３）、加熱側蓋部２３の開状態を検知してからでなければ（Ｓ１０５でＹＥＳ）、次の被覆除去回数のカウントは行われない。これは、図２Ｃに示すように光ファイバの端部の被覆を除去した後、次の光ファイバの端部の被覆を除去するためには、被覆を除去した光ファイバを取り出すために加熱側蓋部２３（及び把持側蓋部３３）を開く必要があるためである。また、図２Ｃに示すように光ファイバの端部の被覆を除去した後、加熱側蓋部２３（及び把持側蓋部３３）が開くことなく、被覆除去回数を再度カウントしてしまうと、被覆除去回数を誤検出する可能性が高いためである。本実施形態のように、カウント部６１Ａが、被覆除去回数をカウントした後、加熱側蓋部２３の開状態を検知した場合に次の被覆除去回数のカウントを許可することによって（加熱側蓋部２３の開状態を検知しない場合には次の被覆除去回数のカウントを許可しないことによって）、被覆除去回数のカウント精度（被覆除去回数とカウント値との一致精度）を高めることができる。但し、加熱側蓋部２３の開状態を検知したか否かにかかわらず、次の被覆除去回数のカウントを可能にしても良い。
【００５９】
本実施形態では、カウント値が所定値に達したとき（Ｓ１０４でＹＥＳ）、制御部６１は、被覆除去回数が所定値に達したことを出力部７１に報知させる。具体的には、カウント値が所定値に達したとき（Ｓ１０４でＹＥＳ）、制御部６１は、出力部７１であるＬＥＤランプ７１Ａを点灯させて、被覆除去回数が所定値に達したことを作業者に報知する（Ｓ１０６）。これにより、刃２１Ａ，２３Ａが摩耗したときに作業者に刃２１Ａ，２３Ａの交換を促すことができる。なお、出力部７１の報知方法としては、ＬＥＤランプ７１Ａの点灯に限られるものではない。例えば、カウント値が所定値に達したとき（Ｓ１０４でＹＥＳ）、制御部６１は、出力部７１となるスピーカでブザーを鳴らし、これにより、被覆除去回数が所定値に達したことを作業者に報知しても良い。
【００６０】
なお、制御部６１は、被覆除去回数のカウント値を表示部（出力部７１）に表示させても良い。また、カウント値の表示は、電子式の表示に限られるものではなく、機械式（例えばダイヤル式）の表示でも良い。カウント値を表示する場合には、制御部６１は、カウント値が所定値に達したか否かの判断や（Ｓ１０４）、出力部７１を用いた報知（Ｓ１０６）を行わなくても良い。
【００６１】
＝＝＝第２実施形態＝＝＝
前述の実施形態では、カウント部６１Ａは、蓋検知部５１の検知結果に基づいて加熱側蓋部２３の閉状態を検知し（Ｓ１０１でＹＥＳ）、且つ、離間検知部５２の検知結果に基づいて加熱部２０と把持部３０との離間状態を検知したときに（Ｓ１０２でＹＥＳ）、被覆除去回数のカウント値を１つ加算していた（Ｓ１０３）。但し、カウント値の加算条件として、加熱側蓋部２３の閉状態を検知していること（Ｓ１０１）の代わりに、ヒータ部２１１の加熱を検知していることにしても良い。
【００６２】
図７は、ヒータ部２１１の加熱プロファイルの説明図である。図中のグラフの横軸は時間を示しており、縦軸はヒータ部２１１の温度を示している。
制御部６１（加熱制御部）は、蓋検知部５１の検知結果に基づいて、加熱側蓋部２３の閉状態を検知したとき、ヒータ部２１１に加熱を開始させる。ヒータ部２１１の加熱が開始されると、ヒータ部２１１の温度が上昇し、所定の加熱温度に達する。制御部６１は、所定の加熱温度に保たれるようにヒータ部２１１を定温制御し、加熱側蓋部２３の開状態を検知したときに、ヒータ部２１１の加熱を停止する。
【００６３】
図８は、第２実施形態の被覆除去装置１０の構成を示すブロック図である。第２実施形態の被覆除去装置１０は、加熱検知部５３を備えている。
【００６４】
加熱検知部５３は、ヒータ部２１１の加熱を検知する部材である。加熱検知部５３は、例えば温度センサであり、検出温度に基づいてヒータ部２１１の加熱を検知しても良い。この場合、加熱検知部５３の温度センサの検出結果は、ヒータ部２１１の定温制御（図７参照）に用いられても良い。加熱検知部５３は、ヒータ部２１１への通電を検知することによって、ヒータ部２１１の加熱を検知しても良い。
【００６５】
図９は、第２実施形態の被覆除去回数のカウント処理の説明図である。
【００６６】
第２実施形態では、カウント部６１Ａは、加熱検知部５３の検知結果に基づいてヒータ部２１１の加熱を検知しているか否かを判定する（Ｓ２０１）。カウント部６１Ａは、ヒータ部２１１の加熱を検知していなければ（Ｓ２０１でＮＯ）、ヒータ部２１１の加熱を検知するまでＳ２０１の判定処理を繰り返す。カウント部６１Ａは、ヒータ部２１１の加熱を検知したとき（２０１でＹＥＳ）、次に、離間検知部５２の検知結果に基づいて加熱部２０と把持部３０との離間状態を検知しているか否かを判定する（Ｓ２０２）。カウント部６１Ａは、離間検知部５２の検知結果に基づいて加熱部２０と把持部３０との離間状態を検知していなければ（Ｓ２０２でＮＯ）、Ｓ２０１の判定処理に戻る。カウント部６１Ａは、離間検知部５２の検知結果に基づいて加熱部２０と把持部３０との離間状態を検知したとき（Ｓ２０２でＹＥＳ）、被覆除去回数のカウント値を１つ加算する（Ｓ２０３）。
【００６７】
すなわち、第２実施形態では、カウント部６１Ａは、加熱検知部５３の検知結果に基づいてヒータ部２１１の加熱を検知し（Ｓ２０１でＹＥＳ）、且つ、離間検知部５２の検知結果に基づいて加熱部２０と把持部３０との離間状態を検知したときに（Ｓ２０２でＹＥＳ）、被覆除去回数のカウント値を１つ加算する（Ｓ２０３）。カウント部６１Ａは、Ｓ２０１の際に、加熱が開始されているか否かを判定しても良いし、温度センサの検出結果に基づいてヒータ部２１１が所定の温度に達しているか否かを判定しても良い。
【００６８】
第２実施形態では、カウント値の加算条件として、加熱部２０と把持部３０との離間状態を検知することだけでなく（Ｓ２０２）、ヒータ部２１１の加熱を検知していること（Ｓ２０１）が条件になっている。このため、ヒータ部２１１が加熱されていないときには、加熱部２０と把持部３０との離間状態を検知しても、カウント値は加算されない。これは、被覆除去のために加熱部２０と把持部３０とを離間させるときには、ヒータ部２１１が加熱された状態であるためである。第２実施形態のように、ヒータ部２１１の加熱を検知していること（Ｓ２０１）がカウント値の加算条件になることによって、被覆を除去していないときにカウント値が増加することを抑制できるため、被覆除去回数のカウント精度（被覆除去回数とカウント値との一致精度）を高めることができる。
【００６９】
なお、図９のＳ１０４〜Ｓ１０６の処理は第１実施形態と同様であるので、説明を省略する。既に説明したように、加熱側蓋部２３の開状態を検知（Ｓ１０５）したか否かにかかわらず、次の被覆除去回数のカウントを可能にしても良い。また、カウント値が所定値に達したときに（Ｓ１０４でＹＥＳ）、出力部７１を用いて報知（Ｓ１０６）する代わりに、単にカウント値を表示部に表示させるだけでも良い。この点は、後述する実施形態においても同様である。
【００７０】
＝＝＝第３実施形態＝＝＝
図１０は、第３実施形態の被覆除去装置１０の構成を示すブロック図である。第３実施形態の被覆除去装置１０は、ホルダ検知部５４を備えている。
【００７１】
図１１Ａ及び図１１Ｂは、ホルダ検知部５４の説明図である。図１１Ａは、ホルダ検知部５４がホルダ７を検知する前の状態（未検知状態）の説明図である。図１１Ｂは、ホルダ検知部５４がホルダ７を検知した状態（検知状態）の説明図である。
【００７２】
ホルダ検知部５４は、把持部３０のホルダ収容部３１１に収容されるホルダ７を検知する部材である。例えば、ホルダ検知部５４は、ホルダ収容部３１１へのホルダ７の着脱に応じてオン・オフするスイッチで構成されている。但し、ホルダ検知部５４は、磁気的若しくは光学的にホルダ７を検知するセンサ（マグネットセンサやフォトセンサ等）で構成されても良い。
【００７３】
図１２は、第３実施形態の被覆除去回数のカウント処理の説明図である。
【００７４】
第３実施形態では、カウント部６１Ａは、ホルダ検知部５４の検知結果に基づいてホルダ７がホルダ収容部３１１に収容されていることを検知しているか否かを判定する（Ｓ３０１）。カウント部６１Ａは、ホルダ７がホルダ収容部３１１に収容されていることを検知していなければ（Ｓ３０１でＮＯ）、ホルダを検知するまでＳ３０１の判定処理を繰り返す。カウント部６１Ａは、ホルダ７がホルダ収容部３１１に収容されていることを検知したとき（Ｓ３０１でＹＥＳ）、次に、蓋検知部５１の検知結果に基づいて加熱側蓋部２３の閉状態を検知しているか否かを判定する（Ｓ３０２）。カウント部６１Ａは、加熱側蓋部２３の閉状態を検知していなければ（Ｓ３０２でＮＯ）、Ｓ３０１の判定処理に戻る。カウント部６１Ａは、ホルダ検知部５４の検知結果に基づいてホルダ７がホルダ収容部３１１に収容されていることを検知し（Ｓ３０１でＹＥＳ）、且つ、蓋検知部５１の検知結果に基づいて加熱側蓋部２３の閉状態を検知したとき（Ｓ３０２でＹＥＳ）、離間検知部５２の検知結果に基づいて加熱部２０と把持部３０との離間状態を検知しているか否かを判定する（Ｓ３０３）。カウント部６１Ａは、離間検知部５２の検知結果に基づいて加熱部２０と把持部３０との離間状態を検知していなければ（Ｓ３０３でＮＯ）、Ｓ３０１の判定処理に戻る。カウント部６１Ａは、離間検知部５２の検知結果に基づいて加熱部２０と把持部３０との離間状態を検知したとき（Ｓ３０３でＹＥＳ）、被覆除去回数のカウント値を１つ加算する（Ｓ３０４）。
【００７５】
すなわち、第３実施形態では、カウント部６１Ａは、ホルダ検知部５４の検知結果に基づいてホルダ７がホルダ収容部３１１に収容されていることを検知し（Ｓ３０１でＹＥＳ）、且つ、蓋検知部５１の検知結果に基づいて加熱側蓋部２３の閉状態を検知し（Ｓ３０２でＹＥＳ）、且つ、離間検知部５２の検知結果に基づいて加熱部２０と把持部３０との離間状態を検知したときに（Ｓ３０３でＹＥＳ）、被覆除去回数のカウント値を１つ加算する（Ｓ３０４）。
【００７６】
第３実施形態では、カウント値の加算条件として、加熱側蓋部２３の閉状態を検知していること（Ｓ３０２）、及び、加熱部２０と把持部３０との離間状態を検知すること（Ｓ３０３）だけでなく、ホルダ７がホルダ収容部３１１に収容されていること（Ｓ３０１）が条件になっている。このため、ホルダ７がホルダ収容部３１１に収容されていないときには、加熱側蓋部２３が閉状態の下で加熱部２０と把持部３０との離間状態を検知しても、カウント値は加算されない。これにより、被覆除去回数のカウント精度（被覆除去回数とカウント値との一致精度）を高めることができる。
【００７７】
なお、カウント値の加算条件から、加熱側蓋部２３の閉状態を検知すること（Ｓ３０２）を外しても良い。この場合、カウント部６１Ａは、ホルダ検知部５４の検知結果に基づいてホルダ７がホルダ収容部３１１に収容されていることを検知し（Ｓ３０１でＹＥＳ）、且つ、離間検知部５２の検知結果に基づいて加熱部２０と把持部３０との離間状態を検知したときに（Ｓ３０３でＹＥＳ）、被覆除去回数のカウント値を１つ加算（Ｓ３０４）することになる。このようにしても、ホルダ７がホルダ収容部３１１に収容されていないときに被覆除去回数のカウント値が加算されることを防止できるため、被覆除去回数のカウント精度（被覆除去回数とカウント値との一致精度）を高めることができる。
【００７８】
＝＝＝第４実施形態＝＝＝
図５Ａ〜図５Ｃに示した離間検知部５２は、いずれも加熱部２０と把持部３０との対向面に配置されていた。但し、離間検知部５２の配置や構成は、これに限られるものではない。
【００７９】
図１３Ａは、第４実施形態の離間検知部５２の説明図である。図１３Ａの上図は、離間検知部５２が加熱部２０と把持部３０との離間を検知する前の状態（近接状態）の説明図である。図１３Ａの下図は、離間検知部５２が加熱部２０と把持部３０との離間を検知した状態（離間状態）の説明図である。
【００８０】
図中のシャフト４１は、加熱部２０と把持部３０とを連結するとともに、加熱部２０と把持部３０との相対移動をガイドする部材である（図２Ｃも参照）。ここでは、シャフト４１の一端（後端、図中左側の端部）が把持部３０に固定されており、加熱部２０に対して把持部３０が移動するときに、シャフト４１の他端が加熱部２０の内部で移動する。
【００８１】
第４実施形態の離間検知部５２は、加熱部２０と把持部３０とを離間させたときのシャフト４１の移動を検知することによって、加熱部２０と把持部３０との離間を検知する。ここでは、離間検知部５２はメカニカルスイッチによって構成されており、スイッチ（検知部）がシャフト４１の加熱部２０側の端部（被検知部）に対向して配置されている。離間検知部５２は、加熱部２０と把持部３０とが離間したときに、シャフト４１がスイッチから離れることによって、加熱部２０と把持部３０との離間状態（又は近接状態）を検知する。
【００８２】
図１３Ｂは、第４実施形態の変形例の離間検知部５２の説明図である。シャフト４１の把持部３０の側の端部は把持部３０に固定されており、シャフト４１の加熱部２０の側の端部には、シャフト４１の軸部４１Ａよりも外側に突出した鍔部４１Ｂが形成されている。
【００８３】
離間検知部５２を構成するスイッチ（検知部）は、近接状態ではシャフト４１の軸部４１Ａと対向する位置に配置されるとともに、シャフト４１の移動量が所定量に達したときにシャフト４１の鍔部４１Ｂ（被検知部）と対向する位置に配置されている。これにより、離間検知部５２は、シャフト４１の移動量が所定量に達したときに、スイッチが鍔部４１Ｂと接触してオン・オフが切り替わるため、加熱部２０と把持部３０とが離間したことを検知することができる。これにより、カウント部６１Ａは、加熱部２０と把持部３０とが所定量以上で離間したときに、離間検知部５２の検知結果に基づいて加熱部２０と把持部３０との離間状態を検知することができる（Ｓ１０２、Ｓ２０２、Ｓ３０３参照）。言い換えると、加熱部２０と把持部３０とが所定量以上で離間しなければ、被覆除去回数のカウント値が加算されない。このため、被覆除去回数のカウント精度（被覆除去回数とカウント値との一致精度）を高めることができる。
【００８４】
上記の説明では、シャフト４１の一端が把持部３０に固定されており、離間検知部５２のスイッチ（検知部）が加熱部２０に配置されていた。但し、シャフト４１の一端を把持部３０に固定し、離間検知部５２を構成するスイッチを把持部３０に配置しても良い。また、上記の説明では、離間検知部５２がスイッチで構成されていたが、離間検知部５２は、磁気的若しくは光学的にホルダ７を検知するセンサ（マグネットセンサやフォトセンサ等）で構成されても良い。
【００８５】
＝＝＝第５実施形態＝＝＝
上記の実施形態では、被覆除去回数のカウント値の加算条件として、加熱部２０と把持部３０との離間状態を検知することだけでなく、他の条件（例えばＳ１０１、Ｓ１０５等）が付加されていた。但し、他の条件を付加させずに、加熱部２０と把持部３０との離間状態を検知したときに、被覆除去回数のカウント値を１つ加算するようにしても良い。
【００８６】
図１４は、第５実施形態の被覆除去回数のカウント処理の説明図である。
【００８７】
第５実施形態では、カウント部６１Ａは、離間検知部５２の検知結果に基づいて加熱部２０と把持部３０との離間状態を検知したときに（Ｓ５０１でＹＥＳ）、被覆除去回数のカウント値を１つ加算する（Ｓ５０２）。このような処理だけでも、作業者が加熱部２０と把持部３０とを離間させて光ファイバの端部の被覆が除去されたときに（図２Ｃ参照）、被覆除去回数を示すカウント値を１つ増加させることができる。
【００８８】
ところで、加熱部２０と把持部３０との離間状態を検知しただけで被覆除去回数のカウント値が加算される場合、被覆を除去していないときにカウント値が増加することを抑制するために、被覆を除去していないときに加熱部２０と把持部３０とが離間してしまうことを防止することが好ましい。つまり、被覆除去装置１０は、加熱部２０と把持部３０とを近接させた近接状態を維持する近接保持部４５を備えることが好ましい。
【００８９】
図１５Ａ及び図１５Ｂは、近接保持部４５の構成例の説明図である。
【００９０】
図１５Ａに示す近接保持部４５は、マグネットと磁性体とを有し、マグネットは把持部３０に配置されており、磁性体は加熱部２０に配置されており、磁力を利用して加熱部２０と把持部３０とを近接させた状態を維持する。なお、マグネットが加熱部２０に配置され、磁性体が把持部３０に配置されても良い。また、磁性体の代わりに、吸着する向きに磁石を配置しても良い。
【００９１】
なお、図１５Ａに示すように近接保持部４５がマグネットを有する場合、近接保持部４５のマグネットの磁力を利用して、加熱部２０と把持部との離間を検知しても良い。具体的には、図１５Ａの把持部３０のマグネット（近接保持部４５を構成するマグネット）と対向するように、図５Ｂに示すマグネットセンサ（離間検知部５２）を配置すると良い。これにより、マグネットを離間検知部５２及び近接保持部４５に兼用させることができ、部品点数を削減できる。
【００９２】
図１５Ｂに示す近接保持部４５は、コイルばねによって構成されている。コイルばねは、加熱部２０の内壁面とシャフト４１の鍔部４１Ｂとの間で圧縮変形させた状態で配置されている。コイルばねが予め圧縮変形された状態で配置されているため、コイルばねの反発力によって、加熱部２０と把持部３０とを近接させた近接状態が維持される。
【００９３】
上記のように、加熱部２０と把持部３０とを近接させた近接状態を維持する近接保持部４５を被覆除去装置１０が備えることによって、被覆を除去していないときに加熱部２０と把持部３０とが離間してしまうことを抑制でき、被覆除去回数のカウント精度（被覆除去回数とカウント値との一致精度）を高めることができる。
【００９４】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００９５】
１  光ファイバテープ、３  光ファイバ、
４  裸光ファイバ、５  被覆、
７  ホルダ、１０  被覆除去装置、
２０  加熱部、２１  加熱側本体、
２１Ａ  刃、２１Ｂ  電源スイッチ、２１１  ヒータ部、
２３  加熱側蓋部、
２３Ａ  刃、２３Ｂ  突出片（被検知部）、２３１  保持部、
３０  把持部、３１  把持側本体、３１１  ホルダ収容部、
３３  把持側蓋部、３３１  ホルダ保持部、
４１  シャフト、４１Ａ  軸部、４１Ｂ  鍔部、
４５  近接保持部、
５１  蓋検知部、５２  離間検知部、
５３  加熱検知部、５４  ホルダ検知部、
６１  制御部、６１Ａ  カウント部、
７１  出力部、７１Ａ  ランプ（表示部、報知部）
【図１】
2018138970.tif 000003
【図２】
2018138970.tif 000004
【図３】
2018138970.tif 000005
【図４】
2018138970.tif 000006
【図５】
2018138970.tif 000007
【図６】
2018138970.tif 000008
【図７】
2018138970.tif 000009
【図８】
2018138970.tif 000010
【図９】
2018138970.tif 000011
【図１０】
2018138970.tif 000012
【図１１】
2018138970.tif 000013
【図１２】
2018138970.tif 000014
【図１３】
2018138970.tif 000015
【図１４】
2018138970.tif 000016
【図１５】
2018138970.tif 000017
【図１６】
2018138970.tif 000018